(57)【要約】【課題】本発明は、光源ユニットおよび照明器具に関し、アンテナが汎用部品から形成された光源ユニットおよび照明器具を得ることを目的とする。【解決手段】本発明に係る光源ユニットは、アンテナと、該アンテナに接続された無線モジュールと、該無線モジュールに接続され、発光素子を点灯させる点灯回路と、上面に該発光素子を備えた光源モジュールと、該光源モジュールの上に設けられ、該発光素子を取り囲むリフレクタと、該リフレクタの上に設けられ、該発光素子を覆う拡散板と、を備え、該アンテナは、該リフレクタと該拡散板との間に配置された電線を有する。【選択図】図１
2018073480.tif 000002
【特許請求の範囲】
【請求項１】
アンテナと、
前記アンテナに接続された無線モジュールと、
前記無線モジュールに接続され、発光素子を点灯させる点灯回路と、
上面に前記発光素子を備えた光源モジュールと、
前記光源モジュールの上に設けられ、前記発光素子を取り囲むリフレクタと、
前記リフレクタの上に設けられ、前記発光素子を覆う拡散板と、
を備え、
前記アンテナは、前記リフレクタと前記拡散板との間に配置された電線を有することを特徴とする光源ユニット。
【請求項２】
前記リフレクタの上面には、前記発光素子を取り囲む溝部が設けられ、
前記アンテナは、前記溝部に収納されることを特徴とする請求項１に記載の光源ユニット。
【請求項３】
前記アンテナは、前記電線を被覆する被覆部を備えることを特徴とする請求項１または２に記載の光源ユニット。
【請求項４】
前記被覆部の色は、前記リフレクタまたは前記拡散板の色と同じであることを特徴とする請求項３に記載の光源ユニット。
【請求項５】
アンテナと、
前記アンテナに接続された無線モジュールと、
前記無線モジュールに接続され、発光素子を点灯させる点灯回路と、
上面に前記発光素子を備えた光源モジュールと、
前記光源モジュールの上に設けられ、前記発光素子を取り囲むリフレクタと、
前記リフレクタの上に設けられ、前記発光素子を覆う拡散板と、
を備え、
前記アンテナは、前記光源モジュールの上面に形成された銅箔パターンを備えることを特徴とする光源ユニット。
【請求項６】
一端が前記無線モジュールに接続され、他端が前記光源モジュールの上において前記アンテナと接続された接続ケーブルを備えることを特徴とする請求項５に記載の光源ユニット。
【請求項７】
前記アンテナの長さは、前記アンテナが受信する無線信号の波長の１／４以上であることを特徴とする請求項１〜６の何れか１項に記載の光源ユニット。
【請求項８】
請求項１〜７の何れか１項に記載の光源ユニットと、
前記拡散板の上に設けられた反射板を備え、
前記反射板は、前記アンテナが設けられる領域よりも内側に、前記拡散板を露出させる第１開口が設けられていることを特徴とする照明器具。
【請求項９】
アンテナと、
前記アンテナに接続された無線モジュールと、
前記無線モジュールに接続され、発光素子を点灯させる点灯回路と、
上面に前記発光素子を備えた光源モジュールと、
前記光源モジュールの上に設けられ、前記発光素子を取り囲むリフレクタと、
前記リフレクタの上に設けられ、前記発光素子を覆う拡散板と、
を備え、
前記アンテナは、前記拡散板の外に露出した電線を有することを特徴とする光源ユニット。
【請求項１０】
前記アンテナは、前記電線を被覆する被覆部を備えることを特徴とする請求項９に記載の光源ユニット。
【請求項１１】
前記アンテナは、前記拡散板に設けられた穴部を通り、前記拡散板の上方に伸びることを特徴とする請求項９または１０に記載の光源ユニット。
【請求項１２】
請求項９〜１１の何れか１項に記載の光源ユニットと、
前記拡散板の上に設けられた反射板と、
前記反射板に設けられ、前記アンテナを収納する収納部と、
を備えることを特徴とする照明器具。
【請求項１３】
前記反射板には、第２開口と、前記拡散板を露出させる第１開口と、が設けられ、
前記アンテナは、前記第２開口を通り、前記収納部に収納されることを特徴とする請求項１２に記載の照明器具。
【請求項１４】
前記収納部は、屈曲していることを特徴とする請求項１２または請求項１３に記載の照明器具。
【発明の詳細な説明】
【技術分野】
【０００１】
本発明は、光源ユニットおよび照明器具に関する。
【背景技術】
【０００２】
特許文献１には、無線通信モジュールのアンテナの構造が開示されている。このアンテナは、発光素子が搭載される放熱板の垂直方向に形成された第１パターンと、第１パターンから延長され、放熱板の外周に沿って形成された第２パターンから構成される。第１パターンは第２パターンを支持し、第２パターンは放熱板および発光素子と接触しない。
【先行技術文献】
【特許文献】
【０００３】
【特許文献１】特許第５８６４４５７号公報
【発明の概要】
【発明が解決しようとする課題】
【０００４】
特許文献１に示される照明装置では、第１パターンおよび第２パターンの２種類の部材からアンテナが構成される。このため、照明装置の組み立てが複雑になる。また、第２パターンは放熱板の外周に沿って形成される。このため、照明装置のフレームの径に合わせて、専用の部品が必要になる。従って、複数の製品において部品の共通化が難しい。
【０００５】
本発明は、上述の課題を解決するためになされたもので、アンテナが汎用部品から形成された光源ユニットおよび照明器具を得ることを目的とする。
【課題を解決するための手段】
【０００６】
第１の発明に係る光源ユニットは、アンテナと、該アンテナに接続された無線モジュールと、該無線モジュールに接続され、発光素子を点灯させる点灯回路と、上面に該発光素子を備えた光源モジュールと、該光源モジュールの上に設けられ、該発光素子を取り囲むリフレクタと、該リフレクタの上に設けられ、該発光素子を覆う拡散板と、を備え、該アンテナは、該リフレクタと該拡散板との間に配置された電線を有する。
【０００７】
第２の発明に係る光源ユニットは、アンテナと、該アンテナに接続された無線モジュールと、該無線モジュールに接続され、発光素子を点灯させる点灯回路と、上面に該発光素子を備えた光源モジュールと、該光源モジュールの上に設けられ、該発光素子を取り囲むリフレクタと、該リフレクタの上に設けられ、該発光素子を覆う拡散板と、を備え、該アンテナは、該光源モジュールの上面に形成された銅箔パターンを備える。
【０００８】
第３の発明に係る光源ユニットは、アンテナと、該アンテナに接続された無線モジュールと、該無線モジュールに接続され、発光素子を点灯させる点灯回路と、上面に該発光素子を備えた光源モジュールと、該光源モジュールの上に設けられ、該発光素子を取り囲むリフレクタと、該リフレクタの上に設けられ、該発光素子を覆う拡散板と、を備え、該アンテナは、該拡散板の外に露出した電線を有する。
【発明の効果】
【０００９】
第１および第３の発明に係る光源ユニットでは、電線からアンテナを形成できる。第２の本発明に係る光源ユニットでは、銅箔パターンからアンテナを形成できる。このため、第１〜第３の発明に係る光源ユニットでは、汎用部品からアンテナを形成できる。
【図面の簡単な説明】
【００１０】
【図１】実施の形態１に係る光源ユニットの分解斜視図である。
【図２】実施の形態１に係る無線制御ユニットの斜視図である。
【図３】実施の形態１に係るリフレクタおよび光源モジュールの斜視図である。
【図４】実施の形態１に係る光源ユニットの斜視図である。
【図５】実施の形態１に係るリフレクタの断面図である。
【図６】実施の形態１に係る照明器具の分解斜視図である。
【図７】実施の形態１に係る照明器具の斜視図である。
【図８】実施の形態１に係る照明器具の正面図である。
【図９】実施の形態１の変形例に係るリフレクタの断面図である。
【図１０】実施の形態２に係る光源ユニットの斜視図である。
【図１１】実施の形態３に係る照明器具の分解斜視図である。
【図１２】実施の形態３の変形例に係る照明器具の斜視図である。
【発明を実施するための形態】
【００１１】
本発明の実施の形態に係る光源ユニットおよび照明器具について図面を参照して説明する。同じ又は対応する構成要素には同じ符号を付し、説明の繰り返しを省略する場合がある。
【００１２】
実施の形態１．
図１は、実施の形態１に係る光源ユニットの分解斜視図である。本実施の形態に係る光源ユニット１３は、光源モジュール１６を備える。光源モジュール１６は、上面に複数の発光素子２２を備える。発光素子２２は、ＬＥＤである。光源モジュール１６が備える発光素子２２の数は、１つ以上であれば良く、限定されない。光源モジュール１６は、ヒートシンク７の上に設けられる。ヒートシンク７は、光源モジュール１６を放熱させる。
【００１３】
光源ユニット１３は、無線制御ユニット１を備える。無線制御ユニット１は、他の照明器具または照明制御機器と無線通信する。照明制御機器は、例えばリモコンである。無線制御ユニット１は、アンテナ３を備える。アンテナ３は電線を備える。本実施の形態に係るアンテナ３は、電線から形成されたリードアンテナである。電線は、被覆部により被覆されている。また、無線制御ユニット１には、点灯回路８が電気的に接続されており、点灯回路８から無線制御ユニット１に電力が供給されるとともに、無線制御ユニット１から点灯回路８に制御信号が伝達される。点灯回路８は光源モジュール１６に電力を供給する。点灯回路８は、発光素子２２を点灯させる。
【００１４】
点灯回路８と無線制御ユニット１はケース２７に収納される。ケース２７はヒートシンク７の内部に収納された状態で固定される。光源モジュール１６の上には、リフレクタ５が設けられる。リフレクタ５は発光素子２２を取り囲む。リフレクタ５は固定部２１によってヒートシンク７に固定される。固定部２１はネジである。リフレクタ５は樹脂から形成される。
【００１５】
リフレクタ５の上には拡散板４が設けられる。拡散板４は、発光素子２２を覆う。拡散板４は、リフレクタ５に取り付けられる。拡散板４は発光素子２２が発する光を拡散および透過させる。発光素子２２が発する光は、一部がリフレクタ５によって反射され、拡散板４に向かう。発光素子２２が発する光は、拡散板４によって拡散され、拡散板４の上面から出射される。拡散板４は樹脂から形成される。
【００１６】
ケース２７、ヒートシンク７およびリフレクタ５には、アンテナ３を挿通するアンテナ通過穴が設けられている。アンテナ３の一端は、無線制御ユニット１に設けられた無線モジュールに接続される。アンテナ３の他端側は、アンテナ通過穴を通って、リフレクタ５と拡散板４との間に配置される。
【００１７】
図２は、実施の形態１に係る無線制御ユニットの斜視図である。制御基板２９には、無線モジュール２および点灯回路接続部１５が設けられている。無線モジュール２の無線通信端子２８には、アンテナ３の一端が接続される。アンテナ３は、他の照明器具または照明制御機器から送信された無線信号を受信する。また、アンテナ３は、他の照明器具または照明制御機器に無線信号を送信する。これらの無線信号は照明器具または照明制御機器を制御するための通信信号である。
【００１８】
本実施の形態において、アンテナ３は被覆部を有した電線である。アンテナ３の一端は、無線モジュール２の無線通信端子２８とはんだによって接続される。アンテナ３の長さは、アンテナ３が受信する無線信号の波長の１／４以上である。または、アンテナ３の長さは、アンテナ３から送信される無線信号の波長の１／４以上であるとしても良い。これにより、無線通信を安定して実施できる。
【００１９】
また、アンテナ３が備える被覆部の色は、リフレクタ５または拡散板４の色と同じである。これにより、発光素子２２の点灯状態および消灯状態において、アンテナ３が目立たなくなる。このため、本実施の形態に係る光源ユニット１３と、無線通信の機能を備えない光源ユニットとの間のデザインの違いを小さくできる。従って、無線通信機能の有無によるデザインの違いから使用者が感じる違和感を抑制できる。
【００２０】
無線モジュール２は、アンテナ３で受信した無線信号を、点灯回路８に指令するための指令信号に変換する。無線モジュール２の出力は、点灯回路接続部１５に接続される。点灯回路接続部１５には、点灯回路８が接続される。指令信号は、点灯回路接続部１５を介して点灯回路８に送信される。無線モジュール２には、点灯回路接続部１５を介して点灯回路８で生成された電力が供給される。点灯回路８は、無線モジュール２の電源となる。
【００２１】
他の照明器具または照明制御機器から送信された無線信号は、光源モジュール１６の調光指令値についての情報を含む。無線モジュール２は無線信号を変換し、調光指令値を点灯回路８に伝達する指令信号を生成する。また、無線信号は、光源モジュール１６の電源ＯＮ／ＯＦＦについての情報を含む。無線モジュール２は無線信号を変換し、電源ＯＮ／ＯＦＦを点灯回路８に指示する指令信号を生成する。指令信号は、点灯回路接続部１５を経由して、点灯回路８の制御回路に送信される。制御回路はマイコンである。
【００２２】
点灯回路８は、スイッチング素子のオンオフにより、発光素子２２に流れる電流を調整している。スイッチング素子のオンオフを制御することで、光源モジュール１６の調光率を変更できる。また、スイッチング素子のオンオフを制御することで、光源モジュール１６の点灯および消灯ができる。点灯回路８が備える制御回路は、指令信号に応じて、スイッチング素子のオンオフを制御する。以上から、無線通信によって、光源モジュール１６の調光率の制御、点灯および消灯ができる。
【００２３】
図３は、実施の形態１に係るリフレクタおよび光源モジュールの斜視図である。リフレクタ５には、光源穴２０が設けられている。光源穴２０は、発光素子２２を露出させる。光源穴２０を構成するリフレクタ５の側面は、光源モジュール１６の表面に対して二段階の傾斜角度を有する。光源穴２０を構成するリフレクタ５の側面のうち、光源モジュール１６側の第１側面３８は、リフレクタ５の上面側の第２側面３９よりも、光源モジュール１６に対する傾斜角度が大きい。リフレクタ５は、光源モジュール１６の発光素子２２が搭載されている領域よりも外側に設けられる。リフレクタ５の上面には、発光素子２２を取り囲む溝部９が設けられている。溝部９は、光源穴２０を囲む。溝部９は、光源穴２０よりも半径が大きい円形である。溝部９は、光源穴２０よりも外側に設けられている。溝部９は、第２側面３９よりも外側に設けられる。リフレクタ５にはアンテナ通過穴１０が設けられている。アンテナ通過穴１０は、溝部９に隣接して設けられる。
【００２４】
図４は、実施の形態１に係る光源ユニットの斜視図である。図４は、光源ユニット１３が組み立てられた状態を示す。なお、図４において拡散板４は省略されている。固定部２１によってリフレクタ５はヒートシンク７に固定される。光源モジュール１６はリフレクタ５とヒートシンク７に挟まれる。これにより、光源モジュール１６はヒートシンク７に固定される。アンテナ３は、リフレクタ５をヒートシンク７に固定した状態で、アンテナ通過穴１０を通り、リフレクタ５の上面から引き出される。アンテナ通過穴１０から引き出されたアンテナ３は、溝部９に収納される。
【００２５】
アンテナ３は溝部９の円弧状の形状に沿って溝部９に収納される。このため、アンテナ３は発光素子２２を囲んで環状または円弧状に配置される。溝部９は、光源穴２０よりも外側に設けられる。このため、アンテナ３は発光素子２２により形成される領域の外側に配置される。従って、アンテナ３によって発光素子２２が発する光が遮られることを防止できる。
【００２６】
図５は、実施の形態１に係るリフレクタの断面図である。溝部９はリフレクタ５の上面に向かって開口している。アンテナ３は、溝部９の底面に配置される。また、リフレクタ５は、溝部９の上部に突出した庇３０を備える。庇３０によってアンテナ３が溝部９から浮き上がることを防止できる。さらに、リフレクタ５の上には拡散板４が設けられる。拡散板４は溝部９を塞ぐ。これにより、アンテナ３が溝部９から浮き上がることがさらに抑制され、アンテナ３を溝部９に固定できる。
【００２７】
本実施の形態に係るアンテナ３は、リフレクタ５と拡散板４との間に配置された電線を有する。電線は被覆部によって覆われる。アンテナ３は、汎用部品である電線から形成される。本実施の形態では、溝部９に電線を収納することでアンテナ３が形成できる。このため、例えば、リフレクタ５または光源穴２０のサイズが変更されても、アンテナ３を構成する部品を作り変える必要がない。従って、複数の種類の製品に対して、共通の部品からアンテナ３を形成できる。
【００２８】
また、アンテナ３は、アンテナ通過穴１０から引き出され、溝部９に収納されることで光源ユニット１３に取り付けられる。このため、アンテナが複数の部品から構成される場合と比較して、光源ユニット１３の組み立てが容易になる。
【００２９】
また、電線の長さを調節することで、容易にアンテナ３の長さを変更できる。また、アンテナ３の長さが変更されても、アンテナ３を溝部９に収納できる。このため、アンテナ３の長さを調節しても、アンテナ３を適切に配置できる。従って、アンテナ３の長さの変更による無線通信の感度の調整が容易にできる。このため、無線通信における感度のバラツキを軽減できる。
【００３０】
図６は、実施の形態１に係る照明器具の分解斜視図である。図７は、実施の形態１に係る照明器具の斜視図である。本実施の形態に係る照明器具１４は、光源ユニット１３と、反射板１１を備える。反射板１１は、拡散板４の上に設けられる。反射板１１は、ヒートシンク７にネジで取り付けられる。また、照明器具１４は取り付けバネ２３を備える。取り付けバネは、照明器具１４を天井に取り付けるための部品である。なお、図６では取り付けバネ２３は省略されている。
【００３１】
反射板１１には、アンテナ３が設けられる領域よりも内側に、第１開口１２が形成されている。第１開口１２は拡散板４の上に設けられる。第１開口１２は拡散板４を露出させる。拡散板４の上面から出射された光は第１開口１２から取り出される。反射板１１は、拡散板４の上面から出射された光を反射させ、光の角度を調整する。反射板１１の形状は、図６に示すものに限らない。反射板１１の形状は、使用者のニーズに応じて選択される。
【００３２】
通信特性の低下を防ぐために、反射板１１の基材には金属ではなく樹脂を用いる。反射板１１の、拡散板４から出射された光を反射する面には、アルミ蒸着を行う。これにより、反射性能を向上出来る。第１開口１２は、アンテナ３が設けられる領域よりも内側に形成される。このため、光源ユニット１３に反射板１１を取り付けた状態において、アンテナ３が外側から見えない。このため、本実施の形態に係る照明器具１４と、無線通信の機能を備えない照明器具のデザインを同一にできる。従って、無線通信機能の有無によるデザインの違いによって使用者が感じる違和感を低減できる。
【００３３】
図８は、実施の形態１に係る照明器具の正面図である。図８は、照明器具１４が天井２４に取り付けられた状態を示す。照明器具１４は、取り付けバネ２３によって天井２４に固定された状態で使用される。この際、照明器具１４は、発光素子２２を床面に向けて配置される。この時、アンテナ３は発光素子２２に対して床面側に配置される。
【００３４】
天井裏には、無線通信を妨害する金属製ダクト等が張り巡らされていることがある。このため、安定した無線通信を行うには、床面側の無線通信の感度を強めた上で、無線通信に床面側の反射を利用することが望ましい。本実施の形態では、アンテナ３を発光素子２２に対して床面側に配置できる。このため、天井２４による通信特性の低下を防止できる。
【００３５】
さらに、アンテナ３と床面との間に配置されるリフレクタ５、拡散板４および反射板１１は樹脂で形成される。このため、アンテナが金属製のヒートシンク内のみに配置される場合と比較して、床面側に対する無線通信の感度を向上出来る。このため、安定した無線通信機能を実現できる。
【００３６】
本実施の形態では、照明器具１４は天井２４に取り付けられたが、照明器具１４の使用方法はこれに限らない。照明器具１４は、壁または床に設置されていても良い。この場合、照明器具１４は、取り付けバネ２３を備えなくても良い。
【００３７】
また、本実施の形態では光源穴２０を囲んで円形の溝部９が形成された。これに対し、溝部９は、リフレクタ５の外周部の一部に形成されても良い。この場合、溝部９は、リフレクタ５の光源穴２０よりも外側において円弧状に形成される。また、リフレクタ５は溝部９を備えなくても良い。また、拡散板４のリフレクタ５と対向する面に、アンテナ３を収納する溝部を設けても良い。
【００３８】
また、本実施の形態では、アンテナ３は被覆部に覆われた電線を有する。この変形例として、アンテナ３は被覆部を備えなくても良い。この場合、光源ユニット１３のアンテナ３と接する部分を絶縁体で形成する。リフレクタ５および拡散板４は絶縁体である樹脂で形成される。また、ケース２７、ヒートシンク７および光源モジュール１６のアンテナ３と接する部分を絶縁体で形成する。
【００３９】
本実施の形態では、光源モジュール１６はヒートシンク７の上に設けられる。これに対し、使用環境によってヒートシンク７による放熱を必要としない場合には、光源ユニット１３はヒートシンク７を備えなくても良い。
【００４０】
なお、図示は省略するが、光源ユニット１３を組み立てる際に、アンテナ３の一端と無線通信端子２８とがはんだによって接続された部分にストレスが加わらないように、アンテナ３は制御基板２９に固定されてもよい。また、無線制御ユニット１をケース２７に収納するときに、アンテナ３をスムーズにアンテナ通過穴に挿通できるように、ケース２７、ヒートシンク７およびリフレクタ５は、それぞれのアンテナ通過穴が重なるように配置されるとともに固定されることが好ましい。さらに、経済性を考慮したアンテナ３の長さとするために、無線制御ユニット１がケース２７に収納された状態で、制御基板２９から引き出されるアンテナ３の位置は、アンテナ通過穴になるべく近くなるように固定されていることが好ましい。
【００４１】
図９は、実施の形態１の変形例に係るリフレクタの断面図である。変形例に係るリフレクタ１０５には溝部１０９が形成されている。溝部１０９は光源穴２０の中心に向かって開口している。アンテナ３は、溝部１０９に収納される。また、リフレクタ５は、アンテナ３の上部に突出した庇１３０を備える。実施の形態１と同様に、庇１３０によってアンテナ３が溝部１０９から浮き上がることを防止できる。これらの変形は以下の実施の形態に係る光源ユニットおよび照明器具について適宜応用することができる。なお、以下の実施の形態に係る光源ユニットと照明器具については実施の形態１との共通点が多いので、実施の形態１との相違点を中心に説明する。
【００４２】
実施の形態２．
図１０は、実施の形態２に係る光源ユニットの斜視図である。本実施の形態に係る光源ユニット２１３は、アンテナ１８の構造が実施の形態１と異なる。なお、図１０において、リフレクタ５および拡散板４は省略されている。光源ユニット２１３は、発光素子２２が搭載された光源モジュール２１６を備える。本実施の形態に係るアンテナ１８は、光源モジュール２１６の上面に形成された銅箔パターンを備える。アンテナ１８は銅箔アンテナである。
【００４３】
アンテナ１８は、光源モジュール２１６の外周部に形成される。アンテナ１８は、発光素子２２が搭載された領域よりも外側に形成される。アンテナ１８は円弧状である。光源モジュール２１６が備える光源基板の上面には、アンテナ接続端子１９が設けられる。アンテナ１８は、アンテナ接続端子１９と電気的に接続される。
【００４４】
光源ユニット２１３は、接続ケーブル１７を備える。接続ケーブル１７の一端は、無線モジュール２の無線通信端子２８に接続される。ケース２７およびヒートシンク７にはアンテナ通過穴２１０が設けられている。接続ケーブル１７は、アンテナ通過穴２１０を通って光源モジュール２１６の上に伸びる。接続ケーブル１７の他端は、アンテナ接続端子１９に接続される。このため、接続ケーブル１７の他端は、光源モジュール２１６の上においてアンテナ１８と接続される。以上から、アンテナ１８は無線制御ユニット１と接続される。
【００４５】
接続ケーブル１７は、汎用部品である被覆配線でもよい。また、接続ケーブル１７は、同軸ケーブルでも良い。同軸ケーブルを用いることで、外部への電磁波の漏れを抑制できる。このため、無線通信特性を向上できる。また、アンテナ１８のアンテナ接続端子１９から末端までの長さは、無線通信で使用する無線信号の波長の１／４以上であることが望ましい。
【００４６】
実施の形態１と同様に、光源モジュール２１６はリフレクタ５とヒートシンク７に挟み込まれる。リフレクタ５はネジでヒートシンク７に固定される。リフレクタ５の上には拡散板４が設けられる。本実施の形態に係る光源ユニット２１３を用いて照明器具を構成しても良い。この場合、実施の形態１と同様に、拡散板４の上に反射板１１を設けることで照明器具が構成される。
【００４７】
本実施の形態では、アンテナ１８は銅箔パターンで形成される。アンテナ１８は汎用部品である銅箔から形成される。このため、アンテナ１８を形成するために専用の部品を準備する必要がない。また、例えば、光源モジュール２１６のサイズまたは形状が変更された場合にも、光源モジュール２１６に合わせて容易にアンテナ１８の形状を変更できる。
【００４８】
本実施の形態では、アンテナ１８は光源モジュール２１６の光源基板上に銅箔パターンで形成される。従って、アンテナ１８を収納するための部品の必要がない。このため、リフレクタ５に溝部９を形成する必要がない。また、リフレクタ５にアンテナ通過穴１０を設ける必要がない。このため、リフレクタ５の製造工程を簡易化できる。本実施の形態では、溝部９が形成されていないリフレクタを使用できる。従って、無線通信の機能を備えない光源ユニットと部品を共通化できる。
【００４９】
また、本実施の形態では、光源モジュール１６にパターニングによりアンテナ１８が形成される。予め光源モジュール１６にアンテナ１８が設けられるため、アンテナ１８を設置する工程が簡易化できる。従って、光源ユニット２１３を容易に組み立てることできる。
【００５０】
実施の形態３．
図１１は、実施の形態３に係る照明器具の分解斜視図である。本実施の形態に係る光源ユニット３１３はアンテナ３０３を備える。アンテナ３０３は、拡散板３０４の外に露出した電線を有する。アンテナ３０３は、実施の形態１と同様に、被覆部によって被覆された電線である。
【００５１】
実施の形態１と同様に、アンテナ３０３は、無線モジュール２から伸び、リフレクタ５の上面まで引き出される。本実施の形態では、拡散板３０４に穴部２６が設けられている。アンテナ３０３は、穴部２６を通り、光源ユニット３１３の上方に引き出される。アンテナ３０３は、穴部２６を通り、拡散板３０４の上方に伸びる。このため、光源ユニット３１３が天井２４に設置された場合、床面側にアンテナ３０３が伸びる。
【００５２】
本実施の形態に係る照明器具３１４は、反射板３１１が光源ユニット３１３に取り付けられることで構成される。反射板３１１は、拡散板３０４の上に設けられる。反射板３１１には、第１開口１２と、第２開口３３１が形成されている。第１開口１２は拡散板３０４の上に形成され、拡散板３０４を露出させる。第２開口３３１は第１開口１２よりも外側に形成される。第２開口３３１の径は、アンテナ３０３の径と同じである。
【００５３】
反射板３１１の拡散板３０４と反対側の面には収納部２５が設けられる。収納部２５は第２開口３３１を覆うように設けられる。反射板３１１が光源ユニット３１３に取り付けられる際に、アンテナ３０３は第２開口３３１を通り、収納部２５に収納される。収納部２５は、通信特性の低下を防止するために、樹脂から形成される。このため、安定した無線通信特性が得られる。また、収納部２５は金属以外の材料で形成されても良い。これにより、使用者が収納部２５に直接触れた際に、感電を防止できる。このため、安全な照明器具３１４を提供できる。
【００５４】
本実施の形態係る照明器具３１４は、アンテナ３０３が反射板３１１よりも床面側に配置される。このため、アンテナ３０３が反射板３１１に対して床面と反対側に配置される場合と比較して、無線通信の性能を向上できる。
【００５５】
本実施の形態では、収納部２５が反射板３１１から突出している。この変形例として、収納部２５を反射板３１１から突出しないように設けても良い。この場合、反射板３１１の内部に収納部２５が設けられる。この変形例においても、アンテナ３０３が反射板３１１に対して床面と反対側に配置される場合と比較して、無線通信の性能を向上できる。また、収納部２５を反射板３１１の床面側の面に寄せて配置することで、無線通信の感度を向上出来る。
【００５６】
さらに、反射板３１１の内部に収納部２５が設けられる場合、収納部２５が外部に露出しない。このため、照明器具３１４と、無線通信の機能を備えない照明器具のデザインを同一にできる。また、収納部２５が突出していることにより使用者が感じる違和感を低減できる。
【００５７】
本実施の形態では、アンテナ３０３は拡散板３０４を貫通し、光源ユニット３１３の上方に伸びる。この変形例として、リフレクタ５の上面に引き出されたアンテナ３０３は、拡散板３０４を通らずに上方に伸びるものとしても良い。この場合、リフレクタ５のアンテナ通過穴１０は、拡散板３０４が設けられる部分よりも外側に形成される。
【００５８】
図１２は、実施の形態３の変形例に係る照明器具の斜視図である。変形例に係る照明器具４１４は、収納部４２５を備える。収納部４２５は、屈曲している。アンテナ３０３は収納部４２５の形状に合わせて屈曲した状態で収納されている。また、収納部４２５は、屈曲する方向が変更できる。収納部４２５が屈曲する方向を変更することで、アンテナ３０３の方向が変更できる。
【００５９】
本変形例では、照明器具４１４が無線通信する他の照明器具または照明制御機器が設置される環境に合わせてアンテナ３０３の方向を調整できる。このため、通信特性を向上できる。また、信頼性の高い無線通信機能を実現できる。なお、各実施の形態で説明した技術的特徴は適宜に組み合わせて用いてもよい。
【符号の説明】
【００６０】
１３、２１３、３１３  光源ユニット、１４、３１４、４１４  照明器具、３、１８、３０３  アンテナ、２  無線モジュール、２２  発光素子、８  点灯回路、１６、２１６  光源モジュール、５、１０５  リフレクタ、４、３０４  拡散板、９、１０９  溝部、１７  接続ケーブル、１１、３１１  反射板、１２  第１開口、３３１  第２開口、２５、４２５  収納部
【図１】
2018073480.tif 000003
【図２】
2018073480.tif 000004
【図３】
2018073480.tif 000005
【図４】
2018073480.tif 000006
【図５】
2018073480.tif 000007
【図６】
2018073480.tif 000008
【図７】
2018073480.tif 000009
【図８】
2018073480.tif 000010
【図９】
2018073480.tif 000011
【図１０】
2018073480.tif 000012
【図１１】
2018073480.tif 000013
【図１２】
2018073480.tif 000014